【手続補正書】
【提出日】平成23年5月24日(2011.5.24)
【手続補正１】
【補正対象書類名】特許請求の範囲
【補正対象項目名】全文
【補正方法】変更
【補正の内容】
【特許請求の範囲】
【請求項１】
鋼板、非鉄金属板、樹脂板、あるいはフィルム状からなる被洗浄面に付着した水分、油分、あるいは薬品成分等の液体を除去、搾取、洗浄する為のロールにおいて、前記ロールはロール部及び台座を有し、前記台座は開口部が形成された本体部、及び前記本体部の両端に連接される継ぎ手部Ａ及び継ぎ手部Ｂを有し、前記継ぎ手部Ａ及び／又は前記継ぎ手部Ｂは中空部が形成され、前記中空部は前記開口部と連通されてあり、前記本体部の外周には流体拡散溝部が形成されてあり、前記本体部の外周外側には不織布からなる前記ロール部が形成されてあり、前記流体拡散溝部には前記開口部に連通する孔部が形成されてあることを特徴とするロール。
【請求項２】
請求項１記載の構成よりなるロールにおいて、流体拡散溝部は本体部の長手方向における一方の端部の近傍と他方の端部の近傍との範囲内に形成されてあることを特徴とするロール。
【請求項３】
請求項１又は２記載の構成よりなるロールにおいて、流体拡散溝部は本体部の長手方向に略平行に形成されてあることを特徴とするロール。
【請求項４】
請求項１又は２記載の構成よりなるロールにおいて、流体拡散溝部は本体部の外周に円環状に形成されてあることを特徴とするロール。
【請求項５】
請求項１又は２記載の構成よりなるロールにおいて、流体拡散溝部は本体部の外周に螺旋状に巻き回されて形成されてあることを特徴とするロール。
【請求項６】
請求項１から５のいずれか１項に記載の構成よりなるロールにおいて、本体部の外周にたいする流体拡散溝部の開口面積の比率が、本体部の端部の近傍よりも略中央部の方が大にて形成されてあることを特徴とするロール。
【請求項７】
請求項１から６のいずれか１項に記載されたロールと、前記ロールを回転駆動する駆動手段と、継ぎ手部Ａあるいは継ぎ手部Ｂの少なくとも一方に配管を介して連通されるコンプレッサーを有する洗浄装置。
【手続補正２】
【補正対象書類名】明細書
【補正対象項目名】００１１
【補正方法】変更
【補正の内容】
【００１１】
前記従来の課題を解決する為に、請求項１の発明のロールは、鋼板、非鉄金属板、樹脂板、あるいはフィルム状からなる被洗浄面に付着した水分、油分、あるいは薬品成分等の液体を除去、搾取、洗浄する為のロールにおいて、前記ロールはロール部及び台座を有し、前記台座は開口部が形成された本体部、及び前記本体部の両端に連接される継ぎ手部Ａ及び継ぎ手部Ｂを有し、前記継ぎ手部Ａ及び／又は前記継ぎ手部Ｂは中空部が形成され、前記中空部は前記開口部と連通されてあり、前記本体部の外周には流体拡散溝部が形成されてあり、前記本体部の外周外側には不織布からなる前記ロール部が形成されてあり、前記流体拡散溝部には前記開口部に連通する孔部が形成されてあるもので、液体が付着した被洗浄面は、ロール部と接触すると、ロールのダム機能と吸排機能により、液体が除去される。ロールは、吸排機能により、ロール部を構成する不織布が有する繊維の毛細管現象により、ロール部の内部に液体を放出すると共に、外部に排出する。前記の吸排機能を繰り返す内に、ロール部は徐々に吸液飽和状態となる。ところで、本発明のロールは、台座を構成する継ぎ手部Ａ及び／又は継ぎ手部Ｂに中空部が形成されると共に、本体部に開口部が形成され、中空部と開口部は連通している。継ぎ手部Ａ及び／又は継ぎ手部Ｂに配管を介してコンプレッサーを接続し、コンプレッサーから圧縮流体を噴射すると、圧縮流体は配管を介して、継ぎ手部Ａ及び／又は継ぎ手部Ｂに形成された中空部、次いで、本体部に形成された開口部の順に流入する。そして、圧縮流体は、開口部に充満すると、本体部の外周に開口部に連通するよう形成された孔部を介して流体拡散溝部に流れ込み、均一にロール部に流出すると共に、ロール部に吸収された液体と共にロールの外部に排出される。従って、吸液飽和状態となったロール部は、液体が圧縮流体と共にロールの外部に排出されることから、吸排機能により吸い上げられる液体を、吸収する空隙部が再び確保されるので、吸液飽和状態が解消され、吸排機能が持続する為、ロールは長期間に亘って、被洗浄面に付着した液体を、確実に除去、搾取、洗浄することができる。なお、圧縮流体を噴射するタイミングとしては、ロールの非稼動時がよい。
【手続補正３】
【補正対象書類名】明細書
【補正対象項目名】００１６
【補正方法】変更
【補正の内容】
【００１６】
請求項３の発明のロールは、特に、請求項１又は２のロールにおいて、流体拡散溝部は本体部の長手方向に略平行に形成されてあるもので、開口部から孔部を介してロール部に流出する圧縮流体は、流体拡散溝部を通してロール部に流れ込む。その為、本体部の外周に流体拡散溝部が形成されておらず、孔部のみが形成されている形態の台座が用いられている場合に比べ、均一に圧縮流体がロール部に流入するので、ロール部からの液体の排出性能の向上につながる。すなわち、均一に圧縮流体がロール部に流入することから、ロール部に吸収された液体が、ロールの外部に排出される際の時間を短縮できると共に、ロール部の全域に亘って、より均一に液体を排出することができ、ロール部からの液体の排出ムラを抑制することができる。
【手続補正４】
【補正対象書類名】明細書
【補正対象項目名】００１７
【補正方法】変更
【補正の内容】
【００１７】
請求項４の発明のロールは、特に、請求項１又は２のロールにおいて、流体拡散溝部は本体部の外周に円環状に形成されてあるもので、開口部から孔部を介してロール部に流出する圧縮流体は、流体拡散溝部を通してロール部に流れ込む。その為、本体部の外周に流体拡散溝部が形成されておらず、孔部のみが形成されている形態の台座が用いられている場合に比べ、均一に圧縮流体がロール部に流入するので、ロール部からの液体の排出性能の向上につながる。すなわち、均一に圧縮流体がロール部に流入することから、ロール部に吸収された液体が、ロールの外部に排出される際の時間を短縮できると共に、ロール部の全域に亘って、より均一に液体を排出することができ、ロール部からの液体の排出ムラを抑制することができる。
【手続補正５】
【補正対象書類名】明細書
【補正対象項目名】００１８
【補正方法】変更
【補正の内容】
【００１８】
請求項５の発明のロールは、特に、請求項１又は２のロールにおいて、流体拡散溝部は本体部の外周に螺旋状に巻き回されて形成されてあるもので、開口部から孔部を介してロール部に流出する圧縮流体は、流体拡散溝部を通してロール部に流れ込む。その為、本体部の外周に流体拡散溝部が形成されておらず、孔部のみが形成されている形態の台座が用いられている場合に比べ、均一に圧縮流体がロール部に流入するので、ロール部からの液体の排出性能の向上につながる。すなわち、均一に圧縮流体がロール部に流入することから、ロール部に吸収された液体が、ロールの外部に排出される際の時間を短縮できると共に、ロール部の全域に亘って、より均一に液体を排出することができ、ロール部からの液体の排出ムラを抑制することができる。
【手続補正６】
【補正対象書類名】明細書
【補正対象項目名】００１９
【補正方法】変更
【補正の内容】
【００１９】
請求項６の発明のロールは、特に、請求項１から５のいずれかのロールにおいて、本体部の外周にたいする流体拡散溝部の開口面積の比率が、本体部の端部の近傍よりも略中央部の方が大にて形成されてあるもので、本体部の略中央部の近傍において、より多くの圧縮流体が流体拡散溝部に沿って流れると共に、ロール部の外周からロールの外部に流出する。ところで、鋼板、非鉄金属板、樹脂板、あるいはフィルム状からなる被洗浄面は、さまざまな幅のものがロール部に接触し、通過するが、ロール部の略中央部の近傍は、必ず前記被洗浄面が通過する。従って、ロール部の略中央部の近傍は、最も液体が吸収される箇所である。その為、本体部の略中央部の近傍から、より多くの圧縮流体がロール部に流れ込む形態とすることにより、ロール部からの液体の排出性能が飛躍的に向上する。